(57)【要約】【課題】様々な態様に変化させることができる袋を提供する。【解決手段】袋の正面又は／及び背面を二重構造で上辺開口の袋状収納体として正面収納部又は／及び背面収納部を形成し、さらに各収納部の少なくともおもて面側を透明素材で形成し、各収納部に挿入した装飾シートが透過して見えるようにすると共に、装飾シートを交換可能とする。上記正面収納部又は／及び背面収納部の開口部に閉止具を設けて開閉自在とする。また、正面収納部又は／及び背面収納部に１乃至複数のポケットを配設して、トレーディング・カードを収納可能とする。ポケットは、二重構造の正面収納部又は／及び背面収納部を二枚重ねのまま凹字状に縫着又は溶着して上方開口の収納ポケットを形成すると共に、この収納ポケットの上辺のうち、収納部の内面側のみに投入スリットを形成する。【選択図】図１
0003123374.tif 000002
【実用新案登録請求の範囲】
【請求項１】
袋の正面又は／及び背面を二重構造で上辺開口の袋状収納体として正面収納部又は／及び背面収納部を形成し、さらに各収納部の少なくともおもて面側を透明素材で形成し、各収納部に挿入した装飾シートが透過して見えるようにすると共に、装飾シートを交換可能としたことを特徴とする袋。
【請求項２】
正面収納部又は／及び背面収納部の開口部に閉止具を設けて開閉自在とした請求項１記載の袋。
【請求項３】
袋全体を透明合成樹脂製シートで構成した請求項１又は請求項２記載の袋。
【請求項４】
袋の底面部及び両側面部は、不透明素材で構成した請求項１又は請求項２記載の袋。
【請求項５】
正面収納部又は／及び背面収納部の開口部を覆って不透明素材からなるフラップを設けた請求項１から請求項４のいずれか１項記載の袋。
【請求項６】
袋の正面及び背面に把手を設けた請求項１から請求項５のいずれか１項記載の袋。
【請求項７】
正面収納部又は／及び背面収納部に１乃至複数のポケットを配設して、トレーディング・カードを収納可能とした請求項１記載の袋。
【請求項８】
ポケットは、二重構造の正面収納部又は／及び背面収納部を二枚重ねのまま凹字状に縫着又は溶着して上方開口の収納ポケットを形成すると共に、この収納ポケットの上辺のうち、収納部の内面側のみに投入スリットを形成してトレーディング・カードを収納可能としたものである請求項６記載の袋。
【請求項９】
上記トレーディング・カードの位置と対応して窓を設けると共に上記縫着又は溶着部分及び投入スリットを覆い隠すようにしたカバーシートを各収納部のおもて面に設けた請求項７記載の袋。
【請求項１０】
上記縫着又は溶着部分及び投入スリットを覆い隠して目立たないようにするために該当部分に印刷を施した請求項７記載の袋。
【考案の詳細な説明】
【技術分野】
【０００１】
本考案は、買い物等の際に携行する袋に関するもので、容易にデザイン等を変更できるようにしたものである。
【背景技術】
【０００２】
従来から、学生、ＯＬ、主婦等、主に女性は、外出等の際、種々の袋、かばん類を携行している。これらの袋類は、機能や用途によって使い分けられているが、ファッションの観点からも様々な形やデザインのものが用いられている。例えば、外出の目的やその日の服装に応じて、適宜な選択を行っている。そのため、特許文献１に示すようにバッグの外ポケットのカバーを取り替えることができるものが提案されている。
【０００３】
【特許文献１】特開２００２−２５３３２４号公報
【考案の開示】
【考案が解決しようとする課題】
【０００４】
しかし、その目的に応じて袋類の適宜な選択を行うためには、色々な形やデザインのものを揃える必要がある。また、この種の袋類は、流行に左右されやすいことから、購入する機会も増える。そのため、多種多様な袋類を所持することになり、その保管場所や処分方法を考えなければならない。
【０００５】
そのため、一つの袋を多様なバリエーションで使用できれば便利である。そこで、本考案は、かかる実情に鑑み、様々な態様に変化させることができる袋を提供することを目的とするものである。
【課題を解決するための手段】
【０００６】
上記課題を解決するため、本考案は、袋の正面又は／及び背面を二重構造で上辺開口の袋状収納体として正面収納部又は／及び背面収納部を形成し、さらに各収納部の少なくともおもて面側を透明素材で形成し、各収納部に挿入した装飾シートが透過して見えるようにすると共に、装飾シートを交換可能とするという手段を採用した。
【０００７】
また、上記正面収納部又は／及び背面収納部の開口部に閉止具を設けて開閉自在とするという手段を採用した。
【０００８】
そして、袋全体を透明合成樹脂製シートで構成する手段、又は、袋の底面部及び両側面部は不透明素材で構成するという手段を採用した。
【０００９】
さらに、正面収納部又は／及び背面収納部の開口部を覆って不透明素材のフラップを設けるという手段、及び、把手を設けるという手段を採用した。
【００１０】
また、別に、正面収納部又は／及び背面収納部に１乃至複数のポケットを配設して、トレーディング・カードを収納可能とするという手段を採用した。
【００１１】
このとき、ポケットは、二重構造の正面収納部又は／及び背面収納部を二枚重ねのまま凹字状に縫着又は溶着して上方開口の収納ポケットを形成すると共に、この収納ポケットの上辺のうち、収納部の内面側のみに投入スリットを形成してトレーディング・カードを収納可能としたものである手段を採用した。
【００１２】
さらに、上記トレーディング・カードの位置と対応して窓を設けると共に上記縫着又は溶着部分及び投入スリットを覆い隠すようにしたカバーシートを各収納部のおもて面に設けるという手段を採用した。
【００１３】
一方、上記縫着又は溶着部分及び投入スリットを覆い隠して目立たないようにするために該当部分に印刷を施すという手段を採用した。
【考案の効果】
【００１４】
上記構成からなる袋は、袋の正面又は／及び背面に形成した収納部が透明素材で形成されているので、各収納部に所望の装飾シートを挿入することにより、装飾シートが透過して観察でき、袋の外観を装飾できる。また、装飾シートを適宜交換すれば、使用者の目的や服装に応じて袋の態様を変更することが可能である。そのため、一つの袋を多様なバリエーションで使用することができるようになった。ここで、装飾シートとは、紙、ビニール、布等の薄手素材で構成され、文字、絵、織り柄等によって装飾された美感を有するものをいう。また、企業の展示会等で販売促進用に配布する袋に適用すれば、企業のロゴマークや新商品の写真を表示した装飾シートを挿入することで広告宣伝効果を高めることができる。
【００１５】
また、袋全体を透明合成樹脂製シートで構成すれば極めて安価に製造できる一方、袋の底面部や両側面部を皮革などの不透明素材で構成すれば、高級感を付与することも可能であるから、広範囲な価格帯で製造でき、広い需要層に利用できる。
【００１６】
また、各収納部の開口部をフラップで覆うことにより、装飾的効果や防水効果が高まり、把手を取付ければ応用範囲が広まる。
【００１７】
一方、トレーディング・カードを収納可能なポケットを設けることにより、女性向けだけでなく子供向けの袋として提供でき、広い年齢層に利用できる。この場合、カバーシートや印刷によってトレーディング・カードのみを露出させ、ポケットの縫着部分等を隠蔽すれば、より体裁がよくなる。
【考案を実施するための最良の形態】
【００１８】
以下、本考案に係る袋の好ましい実施形態を図面について説明する。図１は本考案に係る袋の基本形を示すもので、（Ａ）はその全体斜視図、（Ｂ）はその使用態様を示すものである。また、図２は袋の中央断面を示すものである。袋は全体が透明合成樹脂製シート（例えばＰＶＣなど）からなり、これを上方開口の箱状に溶着ないし縫成して構成されている。図において、１は正面収納部、２は背面収納部であり、それぞれは上辺に開口部１ａ、２ａを設けた二重構造の袋状収納体として構成される。各開口部１ａ、２ａには公知のスライドファスナー１ｂ、２ｂを設け、開閉自在としている。但し、スライドファスナーに代えて、公知のジッパー、面ファスナー、ドットボタンなどの任意の閉止具を使用してもよい。また、袋は必要に応じて底面部３及び襠として左右の側面部４、５を有する。底面部３には厚紙を敷いて補強することもある。
【００１９】
使用者は、好みの装飾シート（Ｓ）を上記正面収納部１及び背面収納部２に構成した袋状収納体に挿入し、それぞれの開口部１ａ、２ａをスライドファスナー１ｂ、２ｂで閉じる。これにより、挿入した装飾シート（Ｓ）の文字や模様が透明素材によって透過して見えるので、袋の正面及び背面を使用者の好みの態様に装飾することができる。また、この装飾シート（Ｓ）を適宜交換することによって袋の外観を異なる態様に変更できるので、目的に応じて袋を使い分けることができるようになる。装飾シート（Ｓ）としては、紙や布、ビニール素材等の薄手で可撓性を有する素材が適当であり、雑誌、ポスター等の印刷物の切り抜き、写真、絵、イラスト、紙バッグや包装紙を所望の大きさに切ったもの、刺繍した布地、その他、使用者が任意に選択できる。紙バッグや包装紙を切ったものの場合、折り目がついていることがあるが、見栄えが悪い場合には、折り目を装飾テープなどで隠すことにより、美麗な装飾シートとすることができる。さらに、薄手のものであれば、金属板やアクリル板等、剛性を有するものでも挿入可能であり、例えばＣＤジャケット等を装飾シートとして用いることも可能である。
【００２０】
なお、上記構成及び使用態様であるから、少なくとも、正面収納部１又は／及び背面収納部２のおもて面側の素材が透明素材で構成されていれば、挿入した装飾シート（Ｓ）を透過して観察できる。従って、正面収納部１や背面収納部２の内面側の素材、及び、底面部３、両側面部４、５に関しては、別の任意の素材を使用することが可能であり、透明素材に限定するものではない。例えば、ビニール等の合成樹脂製シートの他、皮革、合成皮革、布、紙等を使用することができ、使用素材により、高級品から汎用品まで幅広く構成することが可能である。また、袋の大きさも任意であり、使用目的に応じて、ポーチ、化粧用具入れ等の小物用バッグとしてもよく、さらに、下述するように、把手を取り付ければ手提げ鞄、ハンドバッグ、買い物袋等にも応用できる。
【００２１】
次に、図３は本考案に係る袋の応用例を示すものである。また、図４はその中央断面を示すものである。袋の基本構成は前記実施態様と同じであるので、同一部材には同一の番号を付している。図において、６、６は把手であり、図では袋の表面側に溶着して取付けている。但し、図面のものに限定されるものではなく、種々の長さや態様の把手を採用でき、その取付け手段や取付け位置も任意で、袋の内面側に取付けることもできる。７、７は上記正面収納部１及び背面収納部２のスライドファスナーで閉じた各開口部１ａ、２ａをそれぞれ覆い隠すように設けたフラップである。このフラップ７は、主に装飾的見地から、各開口部を隠すために設けるもので、不透明素材で構成するものであるが、雨などの場合、開口部から水が入らないようにする防水効果も期待できる。なお、図３、４ではフラップ７の辺端を袋の外側に適宜な手段で固定し、各開口部を覆って内側に折り曲げているが、これとは逆に、袋の内側に辺端を固定し、外側に折り曲げるようにすることも可能である。また、図３では正面及び背面の全体を透明素材で構成しているが、各面の四辺に不透明素材の帯を設けて透明窓を形成するようにしてもよい。
【００２２】
以上述べたように、本考案に係る袋は、図１に示す基本態様をもとに、使用素材、大きさ、付属品等を適宜選択することによって、様々な態様に変化させることが可能であり、外観的に応用範囲が広がると共に、対象となる価格帯や年齢層に応じても変更が可能であるから、極めて実用性の高い袋を提供することが可能となった。
【００２３】
次に、図５は本考案に係る袋の他の応用例を示すものである。上述したものと同様、同一部材については同一の番号を付して説明する。本例では、装飾用シートとして、トレーディング・カード（Ｔ）を利用したものである。即ち、袋の正面収納部１及び背面収納部２に複数のポケットを設け、ここに所望のトレーディング・カードを収納して袋を装飾するものである。ここで、トレーディング・カードとは、野球やサッカーなどのスポーツ選手、ドラマやアニメのヒーローや怪獣などのキャラクター、ＴＶゲームのキャラクターなどを印刷したカードで、これをコレクションとして収集したり、カードゲームとして使用したりするものである。本例では、袋の正面及び背面にトレーディング・カード用のポケット８を２行３列に構成したものを例示しているが、これに限定するものでないことは言うまでもなく、任意の行列数を設定でき、配置も任意である。なお、この場合、開口部のスライドファスナーを省略して単に溶着して閉止してもよく、フラップも省略できる。
【００２４】
ポケット８の具体的構成を図６に従って説明する。正面収納部１及び背面収納部２は、それぞれ二重構造となっているので、二枚重ねのまま凹字状に縫着又は溶着８ａしてトレーディング・カードの大きさに応じた大きさで上方が開口する収納ポケット８ｂを形成する。そして、この収納ポケット８ｂの上辺のうち、収納部の内面側のみに横一文字に切り込みを入れ、投入スリット８ｃを形成する。投入スリット８ｃの両端は円状に切り抜き、投入スリット８ｃの端部が裂けないようにしてもよい。これにより、使用者は好みのトレーディング・カード（Ｔ）を各ポケット８に入れ、袋を装飾することができる。
【００２５】
なお、上記構成のポケット８は、そのままでは縫着又は溶着線８ａや投入スリット８ｃが外側から見えるので、見栄えが悪い場合がある。このような場合には、図７に示すように、トレーディング・カードの大きさより僅かに小さな窓９ａ、９ａ・・を対応する位置に設けたカバーシート９を正面収納部１のおもて面に貼着等して溶着線８ａや投入スリット８ｃを隠蔽することにより、すっきりした外観で、かつ、トレーシング・カードで装飾された袋を得ることができる。また、図８に示すように、カバーシート９を使用せず、縫着又は溶着線８ａや投入スリット８ｃ部分に、袋のおもて面側から枠状に印刷１０を施して溶着線８ａや投入スリット８ｃを目立たなくしつつ、トレーディングカード（Ｔ）が透過して見えるようにしてもよい。
【図面の簡単な説明】
【００２６】
【図１】本考案に係る袋の基本形を示すもので、（Ａ）は全体斜視図、（Ｂ）は使用態様を示すものである。
【図２】図１の中央断面図である。
【図３】本考案に係る袋の応用例を示すものである。
【図４】図３の中央断面図である。
【図５】本考案に係る袋の他の応用例を示すものである。
【図６】ポケットの具体的構成例を示すものである。
【図７】カバーシートの使用例を示すものである。
【図８】袋表面に枠状の印刷を施した例を示すものである。
【符号の説明】
【００２７】
１    正面収納部
１ａ  開口部
１ｂ  スライドファスナー
２    背面収納部
２ａ  開口部
２ｂ  スライドファスナー
３    底面部
４    側面部
５    側面部
６    把手
７    フラップ
８    ポケット
８ａ  収納ポケット
８ｂ  縫着又は溶着線
８ｃ  投入スリット
９    カバーシート
１０    印刷
【図１】
0003123374.tif 000003
【図２】
0003123374.tif 000004
【図３】
0003123374.tif 000005
【図４】
0003123374.tif 000006
【図５】
0003123374.tif 000007
【図６】
0003123374.tif 000008
【図７】
0003123374.tif 000009
【図８】
0003123374.tif 000010